(57)【要約】【課題】組付および分解作業が極めて簡単便利で、各部材の組合の緊密度が向上して構造全体の安定性が向上すること。【解決手段】複数の環状溝が設けられた複数の支持管と、外周面が円錐形状を呈し、その内周面に円弧形凸部を設けた複数の内ライニングと、複数の連接具と複数の緊迫ユニットと複数の連接管とから構成された、少なくとも一つの枠構造体と、四つの周面には円弧形凹部がそれぞれ設けてあり、枠構造体の内部に組み付けられ、各円弧形凹部がそれぞれ各連接管の外周面を覆う、少なくとも一つのプレートと、を含む。【選択図】図１
2008295847.tif 000002
【特許請求の範囲】
【請求項１】
その外周面に複数の環状溝が等間隔に環設してある複数の支持管と、
その外周面が円錐形状を呈し、その内周面に円弧形凸部が設けてあり、前記円弧形凸部が前記環状溝に位置決められるように、前記支持管の外周面に嵌合される複数の内ライニングと、
複数の連接具と、複数の緊迫ユニットと、複数の連接管と、から構成された、少なくとも一つの枠構造体と、
その四つの周面には円弧形凹部がそれぞれ設けてあり、前記枠構造体の内部に組み付けられ、各円弧形凹部がそれぞれ前記各連接管の外周面を覆う、少なくとも一つのプレートと、を含む枠構造において、
前記連接具は、中央に貫通孔が開設してあり、外周面に複数のねじ穴が開設してあり、
前記緊迫ユニットは、第一緊迫具と、第二緊迫具と、締付具とから構成され、前記第一緊迫具と第二緊迫具とは、一側には互いに対向する斜面がそれぞれ設けてあり、中央には軸方向に沿った貫通孔がそれぞれ開設してあり、前記各貫通孔には締付具が挿通してあり、前記締付具が前記各貫通孔を挿通して前記連接具にあるねじ穴にねじ込まれたと、前記第一緊迫具と第二緊迫具とが前記連接具に締付けられるようになり、且つ前記連接具が外周面で連接管と嵌合し、締付具を回転することにより、第一緊迫具と第二緊迫具とが互いにずれて連接管の内周面に押えるようになり、且つ前記連接具の貫通孔に前記支持管の外周面の内ライニングが嵌められることを特徴とする、
枠構造。
【請求項２】
前記連接具の貫通孔は、上から下へ拡径する円錐形状を呈することを特徴とする、請求項１に記載の枠構造。
【請求項３】
前記内ライニングは、互いに対向し円弧形状を呈する、第一ピースと、第二ピースと、から構成され、その外周面が上から下へ拡径する円錐形状を呈し、なお、第一ピースは、その内面に円弧形凸部が設けてあり、一側面には互いに対向するラグが二つ凸設してあり、第二ピースは、第一ピースの円弧形凸部に応じて円弧形凸部も設けてあり、第一ピースのラグに応じて欠け口が開設してあり、第一ピースと第二ピースとの円弧形凸部が前記支持管にある環状溝に係合すると共に、第一ピースのラグが第二ピースの欠け口に係合するように、第一ピースと第二ピースとが合わせて前記支持管の外周面をカバーすることを特徴とする、請求項１に記載の枠構造。
【請求項４】
前記支持管は、外周面に複数の環状溝が等間隔に環設してあることを特徴とする、請求項１に記載の枠構造。
【請求項５】
前記プレートの各円弧形凹部は凹んだ形状を呈することを特徴とする、請求項１に記載の枠構造。
【請求項６】
前記連接具は、ほぼ球体形状を呈することを特徴とする、請求項１に記載の枠構造。
【請求項７】
前記プレートは、金属板、木質板、樹脂板のいずれかであることを特徴とする、請求項１に記載の枠構造。
【発明の詳細な説明】
【技術分野】
【０００１】
本発明は、枠構造に係り、特に、組付作業が容易に実施でき、且つ組み付けられた完成品の構造の安定性が極めて良い枠構造（物置棚）に関するものである。
【背景技術】
【０００２】
従来の物置棚の枠体の構造は色々あるが、一般の物置棚の連接方式は、主に、物置棚の一つのプレートの底面に一つの溝を開設し、他のプレートの側面に一つの穴が開設して、ネジにより前記二つのプレートを互いに垂直に締付けることである。
【０００３】
上記の連接方式によれば、構造が簡単であり、組付作業が容易であるメリットを有するが、次のような欠点があった。
【０００４】
すなわち、上記の連接方式によれば、プレートの底面に開設された溝が位置決め及び案内の機能を有するので、ユーザは大きい力を加えないと溝にネジをねじ込むことができなく、且つ溝にネジをねじ込んでいるときに、ネジに加える力が不均一である場合にネジがずれ易いので、ユーザがネジでプレートを締付けた後に、組み付けられた物置棚の構造の安定性が低い虞があった。
【発明の開示】
【発明が解決しようとする課題】
【０００５】
本発明の主な目的は、各部材の組合の緊密度が向上になり、外力により容易に脱落し又は分解することがなくなり、構造全体の安定性が向上する枠構造を提供することにある。
【０００６】
本発明の次の目的は、組付作業および分解作業が極めて便利であり、ユーザが自分で容易に組付または分解可能な枠構造を提供することにある。
【０００７】
本発明の別の目的は、部材が分離式であるので、運搬および貯蔵するときに占められるスペースが小さくなる枠構造を提供することにある。
【課題を解決するための手段】
【０００８】
上記目的を達成するためになされた本願の第１発明は、その外周面に複数の環状溝が等間隔に環設してある複数の支持管と、その外周面が円錐形状を呈し、その内周面に円弧形凸部が設けてあり、前記円弧形凸部が前記環状溝に位置決められるように、前記支持管の外周面に嵌合される複数の内ライニングと、複数の連接具と複数の緊迫ユニットと複数の連接管とから構成された、少なくとも一つの枠構造体と、その四つの周面には円弧形凹部がそれぞれ設けてあり、前記枠構造体の内部に組み付けられ、各円弧形凹部がそれぞれ前記各連接管の外周面を覆う、少なくとも一つのプレートと、を含む枠構造において、前記連接具は、中央に貫通孔が開設してあり、外周面に複数のねじ穴が開設してあり、前記緊迫ユニットは、第一緊迫具と、第二緊迫具と、締付具とから構成され、前記第一緊迫具と第二緊迫具とは、一側には互いに対向する斜面がそれぞれ設けてあり、中央には軸方向に沿った貫通孔がそれぞれ開設してあり、前記各貫通孔には締付具が挿通してあり、前記締付具が前記各貫通孔を挿通して前記連接具にあるねじ穴にねじ込まれたと、前記第一緊迫具と第二緊迫具とが前記連接具に締付けられるようになり、且つ前記連接具が外周面で連接管と嵌合し、締付具を回転することにより、第一緊迫具と第二緊迫具とが互いにずれて連接管の内周面に押えるようになり、且つ前記連接具の貫通孔に前記支持管の外周面の内ライニングが嵌められることを特徴とする枠構造であることを要旨としている。
【０００９】
本願の第２発明では、前記連接具の貫通孔は、上から下へ拡径する円錐形状を呈することを特徴とする前記第１発明に記載の枠構造であることを要旨としている。
【００１０】
本願の第３発明では、前記内ライニングは、互いに対向し円弧形状を呈する、第一ピースと、第二ピースと、から構成され、その外周面が上から下へ拡径する円錐形状を呈し、なお、第一ピースは、その内面に円弧形凸部が設けてあり、一側面には互いに対向するラグが二つ凸設してあり、第二ピースは、第一ピースの円弧形凸部に応じて円弧形凸部も設けてあり、第一ピースのラグに応じて欠け口が開設してあり、第一ピースと第二ピースとの円弧形凸部が前記支持管にある環状溝に係合すると共に、第一ピースのラグが第二ピースの欠け口に係合するように、第一ピースと第二ピースとが合わせて前記支持管の外周面をカバーすることを特徴とする前記第１発明に記載の枠構造であることを要旨としている。
【００１１】
本願の第４発明では、前記支持管は、外周面に複数の環状溝が等間隔に環設してあることを特徴とする前記第１発明に記載の枠構造であることを要旨としている。
【００１２】
本願の第５発明では、前記プレートの各円弧形凹部は凹んだ形状を呈することを特徴とする前記第１発明に記載の枠構造であることを要旨としている。
【００１３】
本願の第６発明では、前記連接具は、ほぼ球体形状を呈することを特徴とする前記第１発明に記載の枠構造であることを要旨としている。
【００１４】
本願の第７発明では、前記プレートは、金属板、木質板、樹脂板の何れかであることを特徴とする前記第１発明に記載の枠構造であることを要旨としている。
【発明の効果】
【００１５】
本発明の枠構造によれば、組付作業および分解作業が極めて便利であり、ユーザが自分で容易に組付または分解可能であり、各部材の組合の緊密度が向上になり、外力により容易に脱落し又は分解することがなく、構造全体の安定性が向上し、運搬および貯蔵するときに占められるスペースが小さくなる効果を有する。
【発明を実施するための最良の形態】
【００１６】
以下、添付図面を参照して本発明の好適な実施の形態を詳細に説明する。
【００１７】
まず、図１乃至図５を参照する。本発明の枠構造は、四つの支持管１０と、複数の内ライニング２０と、少なくとも一つの枠構造体３０と、少なくとも一つのプレート４０と、から構成される。
【００１８】
前記支持管１０は、外周面に複数の環状溝１１が等間隔に環設してある。
【００１９】
前記内ライニング２０は、互いに対向し円弧形状を呈する、第一ピース２１と、第二ピース２２と、から構成され、その外周面が上から下へ拡径する円錐形状を呈する。
第一ピース２１は、その内面に円弧形凸部２１１が設けてあり、一側面には互いに対向するラグ２１２が二つ凸設してあり、第二ピース２２は、第一ピース２１の円弧形凸部２１１に応じて円弧形凸部２２１も設けてあり、第一ピース２１のラグ２１２に応じて欠け口２２２が開設してあり、第一ピース２１と第二ピース２２との円弧形凸部２１１，２２１が前記支持管１０にある環状溝１１に係合すると共に、第一ピース２１のラグ２１２が第二ピース２２の欠け口２２２に係合するように、第一ピース２１と第二ピース２２とが合わせて前記支持管１０の外周面をカバーする。
【００２０】
前記枠構造体３０は、複数の連接具３１と、複数の緊迫ユニット３２と、複数の連接管３３と、から構成される。
【００２１】
前記連接具は、ほぼ球体形状を呈し、その中央には上から下へ拡径する円錐形状を呈する貫通孔３１１が開設してあり、その外周面に複数のねじ穴３１２が等間隔に開設してある。
【００２２】
前記緊迫ユニット３２は、第一緊迫具３２１と、第二緊迫具３２２と、締付具３２３とから構成され、前記第一緊迫具３２１と第二緊迫具３２２とは、一側には互いに対向する斜面３２１１，３２２１がそれぞれ設けてあり、中央には軸方向に沿った貫通孔３２１１，３２２１がそれぞれ開設してあり、前記各貫通孔３２１１，３２２１には締付具３２３が挿通してあり、前記締付具３２３が前記各貫通孔３２１１，３２２１を挿通して前記連接具３１にあるねじ穴３１１にねじ込まれたと、前記第一緊迫具３２１と第二緊迫具３２２とが前記連接具３２３に締付けられるようになり、且つ前記連接具３２３が外周面で連接管３３と嵌合し、締付具３２３を回転することにより、第一緊迫具３２１と第二緊迫具３２２とが互いにずれて連接管３３の内周面に押えるようになり、且つ前記連接具３２３の貫通孔３１１に前記支持管１０の外周面の内ライニング２０が嵌められる。
【００２３】
前記プレート４０は、金属板でもいいし、図４と図５に示すような木質板でもいいし、樹脂板でもよい。
四つの周面には円弧形凹部４１がそれぞれ設けてある。本実施例では、各円弧形凹部４１が凹んだ形状を呈し、且つ前記プレート４０は、前記枠構造体３０の内部に組み付けられ、各円弧形凹部４１がそれぞれ前記各連接管３３の外周面を覆う。
【００２４】
次に、図１乃至図５を参照して本発明の組付方法を詳細に説明する。まず、第一ピース２１と第二ピース２２との円弧形凸部２１１，２２１が支持管１０にある環状溝１１に係合すると共に、第一ピース２１のラグ２１２が第二ピース２２の欠け口２２２に係合するように、複数の内ライニング２０の第一ピース２１と第二ピース２２とを支持管１０の外周面にカバーする。
【００２５】
その後、枠構造体３０の組付作業を実施する。図２に示すように、第一緊迫具３２１と第二緊迫具３２２との軸方向に沿った貫通孔３２１２，３２２２に締付具３２３を挿通して連接具３１にあるねじ穴３１２にねじ込んで、連接管３３に連接具３１を嵌め込む。
このとき、締付具３２３を回転することにより、第一緊迫具３２１にある斜面３２１１と、第二緊迫具３２２にある斜面３２２１とが互いにずれて、第一緊迫具３２１と第二緊迫具３２２とが連接管３３の内周面に押えるようになり、そうすると、図１に示すような枠構造体３０が完成する。したがって、本発明の組付作業は極めて簡単である。
【００２６】
次に、図２に示すように、枠構造体３０の連接具３１の上から下へ拡径する円錐形状の貫通孔３１２に、各支持管１０の外周面にある、上から下へ拡径する円錐形状の内ライニング２０を挿入したと、枠構造体３０全体は堅実になる。
【００２７】
最後に、プレート４０の各円弧形凹部４１が各連接管３２の外周面をカバーするように、枠構造体３０の内部にプレート４０を直接に組み付ける。だから、ユーザは本発明を快速に組付け又は分解することができる。
【００２８】
上記の組付方式によれば、ユーザは２層以上の枠体（例えば物置棚など）を容易に組付けることができる。
【００２９】
また、本発明は、主に、締付具３２３を回転することにより、第一緊迫具３２１にある斜面３２１１と、第二緊迫具３２２にある斜面３２２１とが互いにずれて、第一緊迫具３２１と第二緊迫具３２２とが連接管３３の内周面に押えるようになり、ひいては第一緊迫具３２１と第二緊迫具３２２とは、径方向に拡張して連接管３３の内周面に緊迫し、そうすると、各部材の組合の緊密度が向上になり、外力により容易に脱落し又は分解することがなくなり、構造全体の安定性が向上する。
【図面の簡単な説明】
【００３０】
【図１】本発明の実施例１の分解斜視図である。
【図２】本発明の実施例１の一部の分解斜視図である。
【図３】本発明の実施例１の枠構造の一部の組合状態の断面図である。
【図４】本発明の実施例２にプレートを組付けた状態の断面概略図である。
【図５】本発明の実施例２の外観斜視図である。
【符号の説明】
【００３１】
１０      支持管                    １１      環状溝
２０      内ランニング              ２１      第一ピース
２１１    円弧形凸部                ２１２    ラグ
２２      第二ピース                ２２１    円弧形凸部
２２２    欠け口                    ３０      枠構造体
３１      連接具                    ３１１    貫通孔
３１２    ねじ穴                    ３２      緊迫ユニット
３２１    第一緊迫具                ３２１１  斜面
３２１２  貫通孔                    ３２２    第二緊迫具
３２２１  斜面                      ３２２２  貫通孔
３２３    締付具                    ３３      連接管
４０      プレート                  ４１      円弧形凹部
【図１】
2008295847.tif 000003
【図２】
2008295847.tif 000004
【図３】
2008295847.tif 000005
【図４】
2008295847.tif 000006
【図５】
2008295847.tif 000007